(57)【要約】【課題】  可搬型装置を貸し出す際の盗難、紛失を防止する。また、レンタカーの貸し出しを促進するビジネスモデルとなるビデオムービーカメラの管理システムを提供する。【解決手段】  ビデオムービー１０に内蔵されたセンサ・位置情報取得部１１により、例えば３個のＧＰＳ衛星２からの信号を用いて現在位置を演算により取得して位置情報を生成し、この位置情報を無線でレンタカー２０ａに設置されたカーナビゲーションシステム２０の位置情報信号受信部２１に一定時間間隔、例えば１分ごとに送信し、システムでは位置情報を受信すると、ＣＰＵ２３に動作許可信号を送信する命令を送り、ムービーの許可信号受信部１２に動作許可信号を送信する。盗難などにより遠方へ持ち去られると、ムービーからの位置情報信号をレンタカーのシステムが受信できないため、位置情報信号が一定時間、途切れ、動作許可信号をムービーに送信することができず、使用不可能となる。【選択図】  図１
2006129088.tif 000002
【特許請求の範囲】
【請求項１】
ＧＰＳ衛星からの信号に基づいて現在位置情報を取得して基地局に前記現在位置情報を送信する可搬型装置と、
前記可搬型装置から送信された前記位置情報を受信すると前記可搬型装置に動作許可信号を送信する基地局と、
前記可搬型装置は、前記基地局の通信エリア内で前記動作許可信号を受信している場合にのみ前記可搬型装置の所定の動作を実行する手段を備えた可搬型装置の管理システム。
【請求項２】
レンタカーのユーザに貸し出され、ＧＰＳ衛星からの信号に基づいて現在位置情報を取得して外部に無線で送信するムービーカメラと、
前記レンタカーに搭載され、前記ムービーカメラから送信された位置情報を受信しているか否かを判定し、受信している場合に前記ムービーカメラに動作許可信号を送信するカーナビゲーション装置とを備え、
前記ムービーカメラは、前記動作許可信号を受信しているか否かを判定し、受信している場合に前記ムービーカメラの正常動作を許可し、受信していない場合に正常動作を禁止する手段を備えたムービーカメラの管理システム。
【発明の詳細な説明】
【技術分野】
【０００１】
本発明は、ビデオムービーカメラなどの可搬型装置を貸し出す際の可搬型装置の管理システムに関する。
本発明はまた、ビデオムービーカメラを貸し出す際のムービーカメラの管理システムに関する。
【背景技術】
【０００２】
下記の特許文献１には、レンタルカメラを貸し出すシステムが提案されている。また、下記の特許文献２には、美術館などの特定場所におけるカメラ付きＰＨＳ（パーソナルハンディフォーンシステム）による撮影許可／禁止を決定するのに課金を条件にするシステムが提案されている。
【特許文献１】特開２００１−３０９２８４号公報（要約書）
【特許文献２】特開２００３−７８８１０号公報（要約書）
【発明の開示】
【発明が解決しようとする課題】
【０００３】
従来、利用者はレンタカーを借りて旅行などにでかける場合にビデオムービーカメラなどで撮影を行うには、ビデオムービーカメラなどを利用者自ら用意しなければならず、このため、その手間を惜しんで用意しない場合が多く、撮影を希望するにもかかわらず、撮影の機会を逸してしまうことが多々あり、さらに旅行先で盗難、置き忘れなどによりビデオムービーカメラなどを紛失する危険性が高かった。
一方、レンタカー会社は他社との差別化のため特別なサービスを行いたいが、例えばそのサービスの１つとしてレンタカーのユーザに対してビデオムービーカメラなど高価な製品を貸し出す場合、盗難、紛失の可能性が高いためリスクが大きかった。
【０００４】
本発明は上記従来例の問題点に鑑み、可搬型装置を貸し出す際の盗難、紛失を防止することができる可搬型装置の管理システムを提供することを目的とする。
本発明はまた、レンタカーの貸し出しを促進することができるビジネスモデルとなるムービーカメラの管理システムを提供することを目的とする。
【課題を解決するための手段】
【０００５】
本発明の可搬型装置の管理システムは上記目的を達成するために、
ＧＰＳ衛星からの信号に基づいて現在位置情報を取得して基地局に前記現在位置情報を送信する可搬型装置と、
前記可搬型装置から送信された前記位置情報を受信すると前記可搬型装置に動作許可信号を送信する基地局と、
前記可搬型装置は、前記基地局の通信エリア内で前記動作許可信号を受信している場合にのみ前記可搬型装置の所定の動作を実行する手段を備えた。
【０００６】
また本発明のムービーカメラの管理システムは上記目的を達成するために、
レンタカーのユーザに貸し出され、ＧＰＳ衛星からの信号に基づいて現在位置情報を取得して外部に無線で送信するムービーカメラと、
前記レンタカーに搭載され、前記ムービーカメラから送信された位置情報を受信しているか否かを判定し、受信している場合に前記ムービーカメラに動作許可信号を送信するカーナビゲーション装置とを備え、
前記ムービーカメラは、前記動作許可信号を受信しているか否かを判定し、受信している場合に前記ムービーカメラの正常動作を許可し、受信していない場合に正常動作を禁止する手段を備えた。
【発明の効果】
【０００７】
本発明によれば、可搬型装置を貸し出す際の盗難、紛失を防止することができる。
また本発明によれば、レンタカーの貸し出しを促進することができるビジネスモデルとなるムービーカメラの管理システムを提供することができる。
【発明を実施するための最良の形態】
【０００８】
以下、図面を参照して本発明の実施の形態について説明する。図１は本発明に係る可搬型装置の管理システムの一実施形態としてムービーカメラの管理システムを示すブロック図、図２は図１のシステムの動作を説明するためのフローチャートである。
【０００９】
本発明は可搬型装置を貸し出す場合などの紛失、盗難を防止する基地装置による危機管理システムを提供し、例えばレンタカーを貸し出す際のサービスとして、ビデオムービーカメラなどのＡＶモバイル・コンテンツ撮影記録再生装置の使用を提供し、その紛失、盗難防止システムをレンタカーに搭載したカーナビゲーションシステムで構築する。
【００１０】
図１、図２において、利用者１がレンタカー２０ａを借りる際に、例えばレンタカー会社は無料でビデオムービーカメラ（以下、ムービー、ビデオムービーと言うこともある）１０などのカメラ一体型記録再生装置を貸し出すサービスを行う。図１、図２に示すように利用者１がレンタカー２０ａを使用して旅行に出かけた場合に、旅行先などでビデオムービー１０を使用する際はビデオムービー１０に内蔵されたセンサ・位置情報取得部１１により、例えば３個のＧＰＳ（G1obal Positioning System）衛星２からの信号を用いて現在位置を演算により取得して位置情報を生成する（ステップＳ１）。この位置情報を無線でレンタカー２０ａに設置された管理システム、例えばカーナビゲーションシステム（以下システム又は管理システムとも言う）２０の位置情報信号受信部２１に一定時間間隔、例えば１分ごとに送信し、システム２０ではムービー１０からの位置情報を位置情報信号受信部２１で受信すると（ステップＳ２）、システム２０内の不図示のストレージに内蔵された地図データと照合してムービー１０の位置をモニタ２２に表示し位置を確認する（ステップＳ３、Ｓ４）。さらにシステム２０内で位置情報を受信すると（ステップＳ２）、ＣＰＵ２３に動作許可信号を送信する命令を送り、ムービー１０の許可信号受信部１２に動作許可信号を送信する（ステップＳ５）。
【００１１】
ムービー１０は動作許可信号を受信するとムービー１０内のＣＰＵ１３に動作許可命令を送信し（ステップＳ６）、利用者１はムービー１０を用いて撮影、再生を行うことができる（ステップＳ７）。これによりムービー１０が盗難や紛失により、存在位置が不明になることを防止できる。盗難などにより遠方へ持ち去られると、ムービー１０からの位置情報信号をレンタカーのシステム２０が受信できないため、位置情報信号が一定時間、途切れ、動作許可信号をムービー１０に送信することができず（ステップＳ９）、使用不可能となる（ステップＳ１０）。また、利用者１が意図的にシステム２０からムービー１０への動作許可信号の送信を中止すると（ステップＳ８）、ムービー１０は使用不可能となる（ステップＳ１０）。
【００１２】
また、利用者１がムービー１０を紛失した場合、管理システム２０からの動作許可信号の送信を中止することが可能である。さらに、レンタカー２０ａのキーを用いてビデオムービー１０を使用可能とすることにより、レンタカー２０ａを借りた利用者１以外の第三者が勝手に使用することを防ぐことができ、更にセキュリティを向上させることができる。このようなビジネスモデルにより、レンタカー２０ａを借りる利用者１が自ら用意せずにビデオムービー１０による撮影を行うことができ、盗難、紛失の危険性が無く、安心して使用することができる。また、レンタカー会社は他社との差別化のための特別サービスとしてビデオムービー１０の貸し出しを盗難、紛失の危険を伴わずに行うことができる。
【００１３】
なお、以上のシステムはレンタカー２０ａの使用時に限らず、遊園地やイベントなどでムービー１０を貸し出す際に、レンタル業者が管理システム２０により盗難、紛失を防止して使用状況を管理することができる。また、ムービー１０以外の可搬型装置として、デジタルカメラなどの映像撮影記録再生装置や、これに限らず、モバイル・パーソナルコンピュータ、電子辞書のようなものにも適用することができ、可搬型装置を監視する装置として、遊園地などの特定のエリアに複数の基地局を配置するようにしてもよい。
【００１４】
ここで、全く動作不可能な状態にする代わりに一部の動作機能が制限される状態、例えば電子ビューファインダーや、液晶画面でスルー画を見ることはできても、映像の撮影はできないようにしてもよい。そして、モニタには撮影が許可されていないことと、その理由を表示するようにしてもよい（例えば基地局から遠方に離れてしまったためなど）。
【図面の簡単な説明】
【００１５】
【図１】本発明に係る可搬型装置の管理システムの一実施形態としてムービーカメラの管理システムを示すブロック図である。
【図２】図１のシステムの動作を説明するためのフローチャートである。
【符号の説明】
【００１６】
１  利用者
２  ＧＰＳ衛星
１０  ビデオムービーカメラ（ムービー、ビデオムービー）
１１  センサ・位置情報取得部
１２  許可信号受信部
１３、２３  ＣＰＵ
２０  カーナビゲーションシステム（システム、管理システム）
２０ａ  レンタカー
２１  位置情報信号受信部
２２  モニタ
【図１】
2006129088.tif 000003
【図２】
2006129088.tif 000004